(57)【要約】【課題】同じセル識別情報を用いるヘテロジニアス環境においても、ユーザ端末がいずれのセルからの下りリンク信号であるか判別でき、それにより受信精度が維持できること。【解決手段】本発明の無線通信方法は、無線基地局装置において、ユーザ固有情報を含む擬似ランダム系列を用いて参照信号系列を生成し、参照信号系列をユーザ端末に送信し、ユーザ端末において、無線基地局装置から送信された参照信号系列を用いて信号処理を行うことを特徴とする。【選択図】図３
2013123080.tif 000002
【特許請求の範囲】
【請求項１】
複数の無線基地局装置と、前記複数の無線基地局装置と協調マルチポイント送受信可能に構成されたユーザ端末と、を備えた無線通信システムであって、
前記無線基地局装置は、ユーザ固有情報を利用した擬似ランダム系列を用いて参照信号系列を生成する生成部と、前記参照信号系列をユーザ端末に送信する送信部と、を有し、
前記ユーザ端末は、前記無線基地局装置から送信された参照信号系列を用いて信号処理を行う信号処理部を有することを特徴とする無線通信システム。
【請求項２】
前記参照信号系列が復調用参照信号であり、前記信号処理部が受信信号を復調する復調部であることを特徴とする請求項１記載の無線通信システム。
【請求項３】
前記生成部は、擬似ランダム系列においてセル識別情報の代わりにユーザ固有情報を用いて参照信号系列を生成することを特徴とする請求項２記載の無線通信システム。
【請求項４】
前記生成部は、擬似ランダム系列においてスクランブリング識別情報の代わりにユーザ固有情報を用いて参照信号系列を生成することを特徴とする請求項２記載の無線通信システム。
【請求項５】
前記参照信号系列がチャネル状態情報用参照信号であり、前記信号処理部がフィードバック情報を生成するフィードバック情報生成部であることを特徴とする請求項１記載の無線通信システム。
【請求項６】
前記生成部は、擬似ランダム系列においてユーザ固有情報を加えて参照信号系列を生成することを特徴とする請求項５記載の無線通信システム。
【請求項７】
前記無線基地局装置は、前記ユーザ固有情報を加えるかどうかの情報をハイヤレイヤシグナリングでユーザ端末に通知することを特徴とする請求項５又は請求項６記載の無線通信システム。
【請求項８】
前記複数の無線基地局装置は、マクロ基地局のカバーエリア内に低送信電力装置を複数配置してなるオーバレイ型ネットワークを構成し、前記マクロ基地局のセル識別情報と前記低送信電力装置のセル識別情報とが同じであることを特徴とする請求項１から請求項６のいずれかに記載の無線通信システム。
【請求項９】
複数の無線基地局装置と、前記複数の無線基地局装置と協調マルチポイント送受信可能に構成されたユーザ端末と、を備えた無線通信システムにおける無線基地局装置であって、
ユーザ固有情報を利用した擬似ランダム系列を用いて参照信号系列を生成する生成部と、前記参照信号系列をユーザ端末に送信する送信部と、を有ることを特徴とする無線基地局装置。
【請求項１０】
複数の無線基地局装置と、前記複数の無線基地局装置と協調マルチポイント送受信可能に構成されたユーザ端末と、を備えた無線通信システムにおけるユーザ端末であって、
前記無線基地局装置から送信され、ユーザ固有情報を利用した擬似ランダム系列を用いて生成された参照信号系列を用いて信号処理を行う信号処理部を有することを特徴とするユーザ端末。
【請求項１１】
複数の無線基地局装置と、前記複数の無線基地局装置と協調マルチポイント送受信可能に構成されたユーザ端末と、を備えた無線通信システムの無線通信方法であって、
前記無線基地局装置において、ユーザ固有情報を利用した擬似ランダム系列を用いて参照信号系列を生成する工程と、前記参照信号系列をユーザ端末に送信する工程と、前記ユーザ端末において、前記無線基地局装置から送信された参照信号系列を用いて信号処理を行う工程と、を有することを特徴とする無線通信方法。
【発明の詳細な説明】
【技術分野】
【０００１】
本発明は、セルラーシステム等に適用可能な無線通信システム、無線基地局装置、ユーザ端末及び無線通信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband−Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００４】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００５】
そこで、３ＧＰＰ（３rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。
【０００６】
ＣｏＭＰ送受信を適用する環境としては、例えば、無線基地局装置（無線基地局装置ｅＮＢ）に対して光ファイバ等で接続された複数の遠隔無線装置（ＲＲＥ：Remote  Radio  Equipment）とを含む構成（ＲＲＥ構成に基づく集中制御）と、無線基地局装置（無線基地局装置ｅＮＢ）の構成（独立基地局構成に基づく自律分散制御）とがある。ＲＲＥ構成においては、図１に示すように、遠隔無線装置ＲＲＥを無線基地局装置ｅＮＢで集中的に制御する。ＲＲＥ構成では、複数の遠隔無線装置ＲＲＥのベースバンド信号処理及び制御を行う無線基地局装置ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。したがって、ＲＲＥ構成においては、下りリンクでは、複数セル同時送信のような高速なセル間の信号処理を用いる方法が適用できる。図１においては、遠隔無線装置ＲＲＥの送信電力は、無線基地局装置（マクロ基地局）ｅＮＢの送信電力と同程度である（高送信電力ＲＲＥ）。
【０００７】
ＣｏＭＰ送受信を適用する別の環境としては、図２に示すように、無線基地局装置（マクロ基地局）ｅＮＢのカバーエリア内に遠隔無線装置ＲＲＥを複数配置してなるオーバレイ型ネットワーク環境（ヘテロジニアス環境）がある。この環境においては、マクロ基地局ｅＮＢのセルと遠隔無線装置ＲＲＥのセルとが異なる、すなわち、マクロ基地局ｅＮＢのセル識別情報（セルＩＤ）と遠隔無線装置ＲＲＥのセルＩＤとが異なる環境（第１ヘテロジニアス環境）と、マクロ基地局ｅＮＢのセルと遠隔無線装置ＲＲＥのセルとが同じ、すなわち、マクロ基地局ｅＮＢのセルＩＤと遠隔無線装置ＲＲＥのセルＩＤとが同じである環境（第２ヘテロジニアス環境）とがある。図２においては、遠隔無線装置ＲＲＥの送信電力は、無線基地局装置（マクロ基地局）ｅＮＢの送信電力よりも低い（低送信電力ＲＲＥ）。
【先行技術文献】
【非特許文献】
【０００８】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００９】
第２ヘテロジニアス環境は、マクロ基地局ｅＮＢのセルＩＤと遠隔無線装置ＲＲＥのセルＩＤとが同じであるので、ハンドオーバが不要であり、第１ヘテロジニアス環境よりも簡易な制御環境であるといえる。しかしながら、第２ヘテロジニアス環境では、マクロ基地局ｅＮＢのセル（図２における六角形状のセル）と遠隔無線装置ＲＲＥのセル（図２における円形状のセル）との区別がないので、ユーザ端末においてはいずれのセルからの下りリンク信号であるか判別し難く、それにより受信精度が低下するという問題ある。例えば、ユーザ端末において、復調用参照信号やチャネル状態情報用参照信号などの参照信号系列がいずれのセルから送信されたものであるか判別できないと、復調精度やチャネル推定精度が低下してしまうという問題がある。
【００１０】
本発明はかかる点に鑑みてなされたものであり、同じセル識別情報を用いるヘテロジニアス環境においても、ユーザ端末がいずれのセルからの下りリンク信号であるか判別でき、それにより受信精度が維持できる無線通信システム、無線基地局装置、ユーザ端末及び無線通信方法を提供することを目的とする。
【課題を解決するための手段】
【００１１】
本発明の無線通信システムは、複数の無線基地局装置と、前記複数の無線基地局装置と協調マルチポイント送受信可能に構成されたユーザ端末と、を備え、前記無線基地局装置は、ユーザ固有情報を利用した擬似ランダム系列を用いて参照信号系列を生成する生成部と、前記参照信号系列をユーザ端末に送信する送信部と、を有し、前記ユーザ端末は、前記無線基地局装置から送信された参照信号系列を用いて信号処理を行う信号処理部を有することを特徴とする。
【００１２】
本発明の無線基地局装置は、複数の無線基地局装置と、前記複数の無線基地局装置と協調マルチポイント送受信可能に構成されたユーザ端末と、を備えた無線通信システムにおける無線基地局装置であって、ユーザ固有情報を利用した擬似ランダム系列を用いて参照信号系列を生成する生成部と、前記参照信号系列をユーザ端末に送信する送信部と、を有ることを特徴とする。
【００１３】
本発明のユーザ端末は、複数の無線基地局装置と、前記複数の無線基地局装置と協調マルチポイント送受信可能に構成されたユーザ端末と、を備えた無線通信システムにおけるユーザ端末であって、前記無線基地局装置から送信され、ユーザ固有情報を利用した擬似ランダム系列を用いて生成された参照信号系列を用いて信号処理を行う信号処理部を有することを特徴とする。
【００１４】
本発明の無線通信方法は、複数の無線基地局装置と、前記複数の無線基地局装置と協調マルチポイント送受信可能に構成されたユーザ端末と、を備えた無線通信システムの無線通信方法であって、前記無線基地局装置において、ユーザ固有情報を利用した擬似ランダム系列を用いて参照信号系列を生成する工程と、前記参照信号系列をユーザ端末に送信する工程と、前記ユーザ端末において、前記無線基地局装置から送信された参照信号系列を用いて信号処理を行う工程と、を有することを特徴とする。
【発明の効果】
【００１５】
本発明によれば、同じセル識別情報を用いるヘテロジニアス環境においても、ユーザ端末がいずれのセルからの下りリンク信号であるか判別でき、それにより受信精度が維持することができる。
【図面の簡単な説明】
【００１６】
【図１】協調マルチポイント送信を説明するための図である。
【図２】協調マルチポイント送信を説明するための図である。
【図３】協調マルチポイント送信における下りリンクを示す図である。
【図４】無線通信システムのシステム構成を説明するための図である。
【図５】無線基地局装置の全体構成を説明するための図である。
【図６】無線基地局装置のベースバンド処理部に対応した機能ブロック図である。
【図７】ユーザ端末の全体構成を説明するための図である。
【図８】ユーザ端末のベースバンド処理部に対応した機能ブロック図である。
【発明を実施するための形態】
【００１７】
以下、本発明の実施の形態について、添付図面を参照して詳細に説明する。
【００１８】
まず、下りリンクのＣｏＭＰ送信について説明する。下りリンクのＣｏＭＰ送信としては、Coordinated  Scheduling/Coordinated  Beamformingと、Joint  processingとがある。Coordinated  Scheduling/Coordinated  Beamformingは、１つのユーザ端末ＵＥに対して１つのセルからのみ共有データチャネルを送信する方法であり、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、１つのユーザ端末ＵＥに対して複数のセルから共有データチャネルを送信するJoint  transmissionと、瞬時に１つのセルを選択し共有データチャネルを送信するDynamic  Point  Selection（ＤＰＳ）とがある。
【００１９】
マクロ基地局ｅＮＢのセルと遠隔無線装置ＲＲＥのセルとが同じ、すなわち、マクロ基地局ｅＮＢのセルＩＤと遠隔無線装置ＲＲＥのセルＩＤとが同じである環境（第２ヘテロジニアス環境）において、上記のようなＣｏＭＰ送信を適用することを考える。この場合において、参照信号系列（例えば、復調用参照信号系列（ＤＭ−ＲＳ系列）やチャネル状態情報用参照信号系列（ＣＳＩ−ＲＳ系列））を生成すると、マクロ基地局ｅＮＢのセルＩＤと遠隔無線装置ＲＲＥのセルＩＤとが同じであることから、マクロ基地局ｅＮＢと複数の遠隔無線装置ＲＲＥとの間で同一の参照信号系列（ＤＭ−ＲＳ系列、ＣＳＩ−ＲＳ系列）が適用され、同一の無線リソースに参照信号（ＤＭ−ＲＳ、ＣＳＩ−ＲＳ）が多重される可能性が高い。
【００２０】
ここで、参照信号系列について説明する。
ＤＭ−ＲＳ系列ｒ（ｍ）は下記式（１）により定義されている（Ｒｅｌｅａｓｅ  １０  ＬＴＥ）。この式（１）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。なお、この擬似ランダム系列ｃ（ｉ）は、３１長ゴールド系列を用いて生成される。また、初期化擬似ランダム系列Ｃinit中には、スクランブリング識別情報（ＳＣＩＤ）が含まれている。このＳＣＩＤは、０，１（各サブフレームの初め）の値をとる。このように、ＤＭ−ＲＳ系列ｒ（ｍ）を生成する際に用いられる擬似ランダム系列は、セルＩＤで異なるように設定されている。
【数１】
2013123080.tif 000003
【００２１】
また、ＣＳＩ−ＲＳ系列ｒl,ns（ｍ）は下記式（２）により定義されている（Ｒｅｌｅａｓｅ  １０  ＬＴＥ）。この式（２）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。このように、ＣＳＩ−ＲＳ系列ｒl,ns（ｍ）を生成する際に用いられる擬似ランダム系列も、セルＩＤで異なるように設定されている。
【数２】
2013123080.tif 000004
【００２２】
上記のように、ＤＭ−ＲＳ系列及びＣＳＩ−ＲＳ系列は、いずれもセルＩＤにより異なる項を含む擬似ランダム系列を用いて生成されるので、第２ヘテロジニアス環境においては、マクロ基地局ｅＮＢのセルＩＤと遠隔無線装置ＲＲＥのセルＩＤとが同じであることから、マクロ基地局ｅＮＢと複数の遠隔無線装置ＲＲＥとの間で同一のＤＭ−ＲＳ系列、ＣＳＩ−ＲＳ系列が適用され、同一の無線リソースにＤＭ−ＲＳ、ＣＳＩ−ＲＳが多重される可能性が高くなる。このような状態では、ユーザ端末がマクロ基地局ｅＮＢからの下りリンク信号であるのか遠隔無線装置ＲＲＥからの下りリンク信号であるのか判別が難しくなってしまう（参照信号の衝突）（図３）。このため、ユーザ端末において信号処理精度が低下する可能性がある。すなわち、ＤＭ−ＲＳの衝突は、ＤＭ−ＲＳのチャネル推定精度やＰＤＳＣＨの復調精度の低下を招き、ＣＳＩ−ＲＳの衝突は、ＣＳＩ−ＲＳのチャネル推定精度やＣＳＩ推定精度の低下を招く恐れがある。
【００２３】
本発明者は、参照信号系列を生成する際に使用する擬似ランダム系列に、セルＩＤにより異なる項が含まれていることにより、第２ヘテロジニアス環境において参照信号の衝突が起きる可能性が高いことに着目し、参照信号系列を生成する際に使用する擬似ランダム系列に、ユーザ固有情報、例えば、ユーザ識別情報（ＵＥＩＤ）を利用することで第２ヘテロジニアス環境において参照信号の衝突を回避できることを見出し本発明をするに至った。
【００２４】
すなわち、本発明の骨子は、無線基地局装置において、ユーザ固有情報を利用した擬似ランダム系列を用いて参照信号系列を生成し、参照信号系列をユーザ端末に送信し、ユーザ端末において、無線基地局装置から送信された参照信号系列を用いて信号処理を行うことにより、同じセル識別情報を用いるヘテロジニアス環境においても、ユーザ端末がいずれのセルからの下りリンク信号であるか判別し、それにより受信精度を維持することである。
【００２５】
本発明においては、参照信号系列を生成する際に使用する擬似ランダム系列に、ユーザ固有情報、例えば、ユーザ識別情報（ＵＥＩＤ）などを利用する。
ＤＭ−ＲＳ系列については、下記式（３）に示すように、擬似ランダム系列においてセルＩＤの代わりにユーザ識別情報（ＵＥＩＤ）を用いて生成する（第１方法）。すなわち、初期化擬似ランダム系列における式（１）の項ＮIDcellを項ＵＥIDに変える。
【数３】
2013123080.tif 000005
【００２６】
上記式（１）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＤＭ−ＲＳ系列が使用され、ＤＭ−ＲＳの多重位置が同じになる可能性が高くなるので、ＤＭ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＤＭ−ＲＳのチャネル推定精度やＰＤＳＣＨの復調精度の低下を招く恐れがある。一方、上記式（３）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、ユーザ端末ＵＥ＃１〜＃３でそれぞれＵＥＩＤが異なるので、ユーザ端末ＵＥ＃１〜＃３で異なるＤＭ−ＲＳ系列が使用され、ＤＭ−ＲＳの多重位置が同じになる可能性が低くなる。このため、ＤＭ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳのチャネル推定精度やＰＤＳＣＨの復調精度を維持することができる。本発明の第１方法においては、上記式（３）を用いた擬似ランダム系列を、ユーザ固有情報を利用した擬似ランダム系列とする。
【００２７】
また、ＤＭ−ＲＳ系列については、下記式（４）に示すように、擬似ランダム系列においてセルＩＤの代わりにユーザ固有情報Ｘ１を用いて生成する（第２−１方法）。すなわち、初期化擬似ランダム系列における式（１）の項ＮIDcellを項Ｘ１に変える。
【数４】
2013123080.tif 000006
【００２８】
また、ＤＭ−ＲＳ系列については、下記式（５）に示すように、擬似ランダム系列においてセルＩＤにユーザ固有情報Ｘ１を加えて生成する（第２−２方法）。すなわち、初期化擬似ランダム系列における式（１）の項ＮIDcellに項Ｘ１を加える。
【数５】
2013123080.tif 000007
【００２９】
ここで、初期化擬似ランダム系列における項Ｘ１はユーザ固有情報を利用した項である。このとき、Ｘ１はハイヤレイやシグナリング（例えばＲＲＣシグナリング）でユーザ端末に通知される。Ｘ１はユーザ固有の値であり、特定のグループのユーザ端末に同一のＸ１をシグナリングする。これにより、ＵＥＩＤに縛られずに、ユーザ固有情報を利用した擬似ランダム系列にすることができる。
【００３０】
上記式（１）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＤＭ−ＲＳ系列が使用され、ＤＭ−ＲＳの多重位置が同じになる可能性が高くなるので、ＤＭ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＤＭ−ＲＳのチャネル推定精度やＰＤＳＣＨの復調精度の低下を招く恐れがある。一方、上記式（４）、式（５）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、無線基地局装置から通知されたハイヤレイヤシグナリングを用いて異なる擬似ランダム系列を生成することにより、ユーザ端末ＵＥ＃１〜＃３で異なるＤＭ−ＲＳ系列が使用され、ＤＭ−ＲＳの多重位置が同じになる可能性が低くなる。このため、ＤＭ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳのチャネル推定精度やＰＤＳＣＨの復調精度を維持することができる。
【００３１】
また、ＤＭ−ＲＳ系列については、下記式（６）に示すように、擬似ランダム系列においてＳＣＩＤの代わりにＵＥＩＤを利用して生成する（第３方法）。すなわち、初期化擬似ランダム系列における式（１）の項ｎSCIDを項Ｘ２（Ｘ２はユーザ固有情報（ＵＥID）を利用した項）に変える。
【数６】
2013123080.tif 000008
【００３２】
ここで、初期化擬似ランダム系列における項Ｘ２はユーザ固有情報（ＵＥID）を利用した項である。項ｎSCIDは、下り制御チャネル信号で無線基地局装置からユーザ端末にダイナミックに送信される。上記式（１）の擬似ランダム系列を用いる場合には、項ｎSCIDの値が”０”又は”１”であり、下り制御情報（ＤＣＩ）に１ビットで送信される。本発明においては、下り制御情報（ＤＣＩ）で項Ｘ２をダイナミックに送信する。このとき、Ｘ２の値”０”又は”１”について以下のように定義することができる。以下のように定義することにより、ＤＣＩを用いた通知の形態を変えることがない。また、このような定義により、バックワードコンパチビリティを達成することができる。本発明の第３方法においては、以下のように定義した項Ｘ２を用いた擬似ランダム系列を、ユーザ固有情報を利用した擬似ランダム系列とする。
Ｘ２＝０：値”０”であってＵＥＩＤを使用しない
Ｘ２＝１：ＵＥＩＤ（ＵＥ番号）
【００３３】
上記式（１）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＤＭ−ＲＳ系列が使用され、ＤＭ−ＲＳの多重位置が同じになる可能性が高くなるので、ＤＭ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＤＭ−ＲＳのチャネル推定精度やＰＤＳＣＨの復調精度の低下を招く恐れがある。一方、上記式（６）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、ユーザ端末ＵＥ＃１〜＃３でそれぞれＵＥＩＤが異なるので、ユーザ端末ＵＥ＃１〜＃３で異なるＤＭ−ＲＳ系列が使用され、ＤＭ−ＲＳの多重位置が同じになる可能性が低くなる。このため、ＤＭ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳのチャネル推定精度やＰＤＳＣＨの復調精度を維持することができる。
【００３４】
また、ＤＭ−ＲＳ系列については、下記式（７）に示すように、項Ｙ１を加えて生成する（第４方法）。すなわち、初期化擬似ランダム系列における式（１）に項Ｙ１を加える。
【数７】
2013123080.tif 000009
【００３５】
ここで、初期化擬似ランダム系列における項Ｙ１はユーザ固有である。この項Ｙ１の情報はハイヤレイヤシグナリング（例えばＲＲＣシグナリング）で無線基地局装置からユーザ端末に通知される。本発明の第４方法においては、上記式（７）を用いた擬似ランダム系列は無線基地局装置がユーザ固有情報を利用した擬似ランダム系列（ＵＥ−ｓｐｅｃｉｆｉｃ  ｏｐｅｒａｔｉｏｎを実現するための擬似ランダム系列）である。
【００３６】
上記式（１）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＤＭ−ＲＳ系列が使用され、ＤＭ−ＲＳの多重位置が同じになる可能性が高くなるので、ＤＭ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＤＭ−ＲＳのチャネル推定精度やＰＤＳＣＨの復調精度の低下を招く恐れがある。一方、上記式（７）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、無線基地局装置から通知されたハイヤレイヤシグナリングを用いて異なる擬似ランダム系列を生成することにより、ユーザ端末ＵＥ＃１〜＃３で異なるＤＭ−ＲＳ系列が使用され、ＤＭ−ＲＳの多重位置が同じになる可能性が低くなる。このため、ＤＭ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳのチャネル推定精度やＰＤＳＣＨの復調精度を維持することができる。
【００３７】
ＣＳＩ−ＲＳ系列については、下記式（８）に示すように、擬似ランダム系列においてＵＥＩＤを加えて生成する（第５方法）。すなわち、初期化擬似ランダム系列における式（２）にＵＥIDを加える。
【数８】
2013123080.tif 000010
【００３８】
上記式（２）に示す擬似ランダム系列を用いてＣＳＩ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＣＳＩ−ＲＳ系列が使用され、ＣＳＩ−ＲＳの多重位置が同じになる可能性が高くなるので、ＣＳＩ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＣＳＩ−ＲＳのチャネル推定精度やＣＳＩ−ＲＳ精度の低下を招く恐れがある。一方、上記式（８）に示す擬似ランダム系列を用いてＣＳＩ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、ユーザ端末ＵＥ＃１〜＃３でそれぞれＵＥＩＤが異なるので、ユーザ端末ＵＥ＃１〜＃３で異なるＣＳＩ−ＲＳ系列が使用され、ＣＳＩ−ＲＳの多重位置が同じになる可能性が低くなる。このため、ＣＳＩ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＣＳＩ−ＲＳのチャネル推定精度やＣＳＩ−ＲＳ精度を維持することができる。本発明の第５方法においては、上記式（８）を用いた擬似ランダム系列を、ユーザ固有情報（ＵＥID）を利用した擬似ランダム系列とする。
【００３９】
また、ＣＳＩ−ＲＳ系列については、下記式（９）に示すように、擬似ランダム系列において項Ｘ３を加えて生成する（第６方法）。すなわち、初期化擬似ランダム系列における式（２）に項Ｘ３を加える。
【数９】
2013123080.tif 000011
【００４０】
ここで、初期化擬似ランダム系列における項Ｘ３はユーザ固有情報（ＵＥID）を利用した項である。項Ｘ３は、初期化擬似ランダム系列をユーザ固有にする場合と、初期化擬似ランダム系列をユーザ固有にしない場合とを区別する項である。例えば、ユーザ固有にする場合には、項Ｘ３をＵＥIDとし（この場合第５方法となる）、ユーザ固有にしない場合には、項Ｘ３を０とする。すなわち、無線基地局装置でユーザ固有にするかどうかを決定し、その決定に基づいて初期化擬似ランダム系列を変える（ユーザ固有の項（Ｘ３）を加えるかどうかを決める）。この項Ｘ３（ユーザ固有にするかどうか（ユーザ固有の項を加えるかどうか）の情報はハイヤレイヤシグナリングで無線基地局装置からユーザ端末に通知される。本発明の第６方法においては、上記式（９）を用いた擬似ランダム系列を、ユーザ固有情報を利用した擬似ランダム系列とする。
【００４１】
上記式（２）に示す擬似ランダム系列を用いてＣＳＩ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＣＳＩ−ＲＳ系列が使用され、ＣＳＩ−ＲＳの多重位置が同じになる可能性が高くなるので、ＣＳＩ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＣＳＩ−ＲＳのチャネル推定精度やＣＳＩ−ＲＳ精度の低下を招く恐れがある。一方、上記式（９）に示す擬似ランダム系列を用いてＣＳＩ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、ユーザ端末ＵＥ＃１〜＃３でそれぞれＵＥＩＤが異なるので、ユーザ端末ＵＥ＃１〜＃３で異なるＣＳＩ−ＲＳ系列が使用され、ＣＳＩ−ＲＳの多重位置が同じになる可能性が低くなる。このため、ＣＳＩ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＣＳＩ−ＲＳのチャネル推定精度やＣＳＩ−ＲＳ精度を維持することができる。
【００４２】
また、ＣＳＩ−ＲＳ系列については、下記式（１０）に示すように、擬似ランダム系列において項Ｙ２を加えて生成する（第７方法）。すなわち、初期化擬似ランダム系列における式（２）に項Ｙ２を加える。
【数１０】
2013123080.tif 000012
【００４３】
ここで、初期化擬似ランダム系列における項Ｙ２はユーザ固有である。この項Ｙ２の情報はハイヤレイヤシグナリング（例えばＲＲＣシグナリング）で無線基地局装置からユーザ端末に通知される。本発明の第７方法においては、上記式（１０）を用いた擬似ランダム系列は無線基地局装置がユーザ固有情報を利用した擬似ランダム系列（ＵＥ−ｓｐｅｃｉｆｉｃ  ｏｐｅｒａｔｉｏｎを実現するための擬似ランダム系列）である。
【００４４】
上記式（１０）に示す擬似ランダム系列を用いてＣＳＩ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるので、ユーザ端末ＵＥ＃１〜＃３で同じＣＳＩ−ＲＳ系列が使用され、ＣＳＩ−ＲＳの多重位置が同じになる可能性が高くなるので、ＣＳＩ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＣＳＩ−ＲＳのチャネル推定精度やＣＳＩ−ＲＳ精度の低下を招く恐れがある。一方、上記式（１０）に示す擬似ランダム系列を用いてＣＳＩ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、無線基地局装置から通知されたハイヤレイヤシグナリングを用いて異なる擬似ランダム系列を生成することにより、ユーザ端末ＵＥ＃１〜＃３で異なるＣＳＩ−ＲＳ系列が使用され、ＣＳＩ−ＲＳの多重位置が同じになる可能性が低くなる。このため、ＣＳＩ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＣＳＩ−ＲＳのチャネル推定精度やＣＳＩ−ＲＳ精度を維持することができる。
【００４５】
以下に、本発明の実施の形態に係る無線通信システムについて詳細に説明する。図４は、本実施の形態に係る無線通信システムのシステム構成の説明図である。この無線通信システムは、複数の無線基地局装置と、複数の無線基地局装置と協調マルチポイント送受信可能に構成されたユーザ端末と、を備えている。なお、図４に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００４６】
図４に示すように、無線通信システム１は、無線基地局装置２０Ａ，２０Ｂと、この無線基地局装置２０Ａ，２０Ｂと通信する複数の第１、第２のユーザ端末１０Ａ，１０Ｂとを含んで構成されている。無線基地局装置２０Ａ，２０Ｂは、上位局装置３０と接続され、この上位局装置３０は、コアネットワーク４０と接続される。また、無線基地局装置２０Ａ，２０Ｂは、有線接続又は無線接続により相互に接続されている。第１、第２のユーザ端末１０Ａ，１０Ｂは、セルＣ１，Ｃ２において無線基地局装置２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。なお、セル間では、必要に応じて、複数の基地局によりＣｏＭＰ送信の制御が行われる。
【００４７】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局装置２０Ａ，２０Ｂと無線通信するのは第１、第２のユーザ端末１０Ａ，１０Ｂであるものとして説明するが、より一般的にはユーザ端末も固定端末装置も含むユーザ装置（ＵＥ）でよい。
【００４８】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００４９】
下りリンクの通信チャネルは、第１、第２のユーザ端末１０Ａ，１０Ｂで共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００５０】
上りリンクの通信チャネルは、各ユーザ端末で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの受信品質情報（ＣＱＩ）、ＡＣＫ／ＮＡＣＫなどが伝送される。
【００５１】
図５を参照しながら、本実施の形態に係る無線基地局装置の全体構成について説明する。なお、無線基地局装置２０Ａ，２０Ｂは、同様な構成であるため、無線基地局装置２０として説明する。また、後述する第１、第２のユーザ端末１０Ａ，１０Ｂも、同様な構成であるため、ユーザ端末１０として説明する。無線基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局装置２０からユーザ端末に送信される送信データは、上位局装置３０から伝送路インターフェース２０６を介してベースバンド信号処理部２０４に入力される。
【００５２】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００５３】
また、ベースバンド信号処理部２０４は、報知チャネルにより、同一セルに接続するユーザ端末１０に対して、各ユーザ端末１０が無線基地局装置２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００５４】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、複数セル間の位相差の情報及びＰＭＩを含む上りリンク信号を受信する受信手段、及び参照信号系列をユーザ端末に送信する送信手段を構成する。
【００５５】
一方、上りリンクによりユーザ端末１０から無線基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００５６】
ベースバンド信号処理部２０４は、上りリンクで受信したベースバンド信号に含まれる送信データに対して、ＦＦＴ（Fast  Fourier  Transform）処理、ＩＤＦＴ（Inverse  Discrete  Fourier  Transform）処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００５７】
呼処理部２０５は、通信チャネルの設定や解放等の呼処理や、無線基地局装置２０の状態管理や、無線リソースの管理を行う。
【００５８】
図６は、図５に示す無線基地局装置におけるベースバンド信号処理部の構成を示すブロック図である。ベースバンド信号処理部２０４は、送信データ生成部２０４１と、ＲＳ系列生成部２０４２と、多重部２０４３と、ＩＦＦＴ（Inverse  Fast  Fourier  Transform）部２０４４と、ＣＰ（Cyclic  Prefix）付加部２０４５と、から主に構成されている。
【００５９】
送信データ生成部２０４１は、送信データのシンボル系列に対して誤り訂正符号化、インターリーバを施す。送信データ生成部２０４１は、送信データを誤り訂正符号化・インターリーブした後、送信データ系列（１つのＯＦＤＭシンボルを構成するｎビット）を直並列変換してサブキャリア変調用の複数系列のデータ信号を生成する。複数系列のデータ信号を生成してからインターリーブを施しても良い。送信データ生成部２０４１は、さらに複数系列のデータ信号を並列にサブキャリア変調する。
【００６０】
ＲＳ系列生成部２０４２は、ＵＥＩＤを利用した擬似ランダム系列を用いて参照信号系列を生成する。ＲＳ系列生成部２０４２は、参照信号系列がＤＭ−ＲＳ系列である場合には、上記式（３）に示す擬似ランダム系列を用いたＤＭ−ＲＳ系列でＤＭ−ＲＳを生成するか（第１方法）、上記式（４）、式（５）に示す擬似ランダム系列を用いたＤＭ−ＲＳ系列でＤＭ−ＲＳを生成するか（第２方法）、上記式（６）に示す擬似ランダム系列を用いたＤＭ−ＲＳ系列でＤＭ−ＲＳを生成するか（第３方法）、上記式（７）に示す擬似ランダム系列を用いたＤＭ−ＲＳ系列でＤＭ−ＲＳを生成する（第４方法）。ＲＳ系列生成部２０４２は、参照信号系列がＣＳＩ−ＲＳ系列である場合には、上記式（８）に示す擬似ランダム系列を用いたＣＳＩ−ＲＳ系列でＣＳＩ−ＲＳを生成するか（第５方法）、上記式（９）に示す擬似ランダム系列を用いたＣＳＩ−ＲＳ系列でＣＳＩ−ＲＳを生成するか（第６方法）、上記式（１０）に示す擬似ランダム系列を用いたＣＳＩ−ＲＳ系列でＣＳＩ−ＲＳを生成する（第７方法）。なお、第３方法の場合には、式（６）の擬似ランダム系列における項Ｘ２の情報を下り制御チャネル（例えば、ＤＣＩ）でダイナミックにユーザ端末に通知する。第２方法、第４方法、第６方法及び第７方法の場合には、それぞれ式（４）、式（５）の擬似ランダム系列における項Ｘ１の情報、式（７）の擬似ランダム系列における項Ｙ１の情報、式（９）の擬似ランダム系列における項Ｘ３の情報、式（１０）の擬似ランダム系列における項Ｙ２の情報をハイヤレイヤシグナリング（例えば、ＲＲＣシグナリング）でセミスタティックにユーザ端末に通知する。
【００６１】
多重部２０４３は、送信データとＲＳとを無線リソースに多重する。ＩＦＦＴ部２０４４は、送信データとＲＳとがサブキャリアマッピングされた周波数領域の送信信号（サブキャリア信号）を逆高速フーリエ変換する。逆高速フーリエ変換によってサブキャリアに割り当てられた周波数成分の信号が時間成分の信号列に変換される。その後、ＣＰ付加部２０４５でサイクリックプレフィックスが付加される。
【００６２】
次に、図７を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【００６３】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００６４】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ（Discrete  Fourier  Transform）処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、下りリンク信号を受信する受信手段を構成する。
【００６５】
図８は、図７に示すユーザ端末におけるベースバンド信号処理部の構成を示すブロック図である。ベースバンド信号処理部１０４は、ＣＰ除去部１０４１と、ＦＦＴ部１０４２と、分離部１０４３と、チャネル推定部１０４４と、復調部１０４５と、フィードバック情報生成部１０４６と、から主に構成されている。
【００６６】
ＣＰ除去部１０４１は、受信信号からサイクリックフレフィックスを除去する。ＦＦＴ部１０４２は、ＣＰ除去された受信信号を高速フーリエ変換して時系列の信号成分を周波数成分の列に変換する。分離部１０４３は、受信信号をサブキャリアデマッピングして、ＲＳ、共有チャネル信号（データ信号）を分離する。参照信号（ＤＭ−ＲＳ、ＣＳＩ−ＲＳ）は、チャネル推定部１０４４に出力される。
【００６７】
チャネル推定部１０４４は、ＤＭ−ＲＳ及びＣＳＩ−ＲＳを用いてチャネル推定する。チャネル推定部１０４４は、ＤＭ−ＲＳを用いて得られたチャネル推定値を復調部１０４５に出力し、ＣＳＩ−ＲＳを用いて得られたチャネル推定値をフィードバック情報生成部１０４６に出力する。復調部１０４５は、チャネル推定値を用いて共有チャネル信号を復調する。
【００６８】
フィードバック情報生成部１０４６は、チャネル推定値を用いてＣＳＩ（フィードバック情報）を生成する。ＣＳＩとしては、セル毎ＣＳＩ（ＰＭＩ、ＣＤＩ、ＣＱＩ）、セル間ＣＳＩ（位相差情報、振幅差情報）、ＲＩ（Rank  Indicator）などが挙げられる。これらのＣＳＩは、ＰＵＣＣＨやＰＵＳＣＨで無線基地局装置にフィードバックされる。
【００６９】
本発明においては、チャネル推定部１０４４、復調部１０４５及びフィードバック情報生成部１０４６が、無線基地局装置から送信された参照信号系列を用いて信号処理を行う信号処理部である。参照信号系列がＤＭ−ＲＳ系列の場合には、信号処理部がチャネル推定部１０４４及び復調部１０４５であり、参照信号系列がＣＳＩ−ＲＳ系列の場合には、信号処理部がチャネル推定部１０４４及びフィードバック情報生成部１０４６である。
【００７０】
上記構成を有する無線通信システムにおいては、まず、無線基地局装置のＲＳ系列生成部２０４２において、ＵＥＩＤを利用した擬似ランダム系列を用いて参照信号系列を生成する。このとき、参照信号系列がＤＭ−ＲＳ系列である場合には、上記式（３）に示す擬似ランダム系列を用いたＤＭ−ＲＳ系列でＤＭ−ＲＳを生成するか（第１方法）、上記式（４）、式（５）に示す擬似ランダム系列を用いたＤＭ−ＲＳ系列でＤＭ−ＲＳを生成するか（第２方法）、上記式（６）に示す擬似ランダム系列を用いたＤＭ−ＲＳ系列でＤＭ−ＲＳを生成するか（第３方法）、上記式（７）に示す擬似ランダム系列を用いたＤＭ−ＲＳ系列でＤＭ−ＲＳを生成するか（第４方法）。また、参照信号系列がＣＳＩ−ＲＳ系列である場合には、上記式（８）に示す擬似ランダム系列を用いたＣＳＩ−ＲＳ系列でＣＳＩ−ＲＳを生成するか（第５方法）、上記式（９）に示す擬似ランダム系列を用いたＣＳＩ−ＲＳ系列でＣＳＩ−ＲＳを生成するか（第６方法）、上記式（１０）に示す擬似ランダム系列を用いたＣＳＩ−ＲＳ系列でＣＳＩ−ＲＳを生成する（第７方法）。なお、第３方法の場合には、式（６）の擬似ランダム系列における項Ｘ２の情報を下り制御チャネル（例えば、ＤＣＩ）でダイナミックにユーザ端末に通知する。第２方法、第４方法、第６方法及び第７方法の場合には、それぞれ式（４）、式（５）の擬似ランダム系列における項Ｘ１の情報、式（７）の擬似ランダム系列における項Ｙ１の情報、式（９）の擬似ランダム系列における項Ｘ３の情報、式（１０）の擬似ランダム系列における項Ｙ２の情報をハイヤレイヤシグナリング（例えば、ＲＲＣシグナリング）でセミスタティックにユーザ端末に通知する。
【００７１】
次いで、ユーザ端末において、第１方法では、上記式（３）に示す擬似ランダム系列を用い、第２方法では、上記式（４）、式（５）に示す擬似ランダム系列を用い、第３方法では、上記式（６）に示す擬似ランダム系列を用い、第４方法では、上記式（７）に示す擬似ランダム系列を用い、第５方法では、上記式（８）に示す擬似ランダム系列を用い、第６方法では、上記式（９）に示す擬似ランダム系列を用い、第７方法では、上記式（１０）に示す擬似ランダム系列を用いる。第１方法〜第７方法においては、ＵＥＩＤを利用した擬似ランダム系列を用いているので、第２ヘテロジニアス環境でセルＩＤが同じであっても、各ユーザ端末で異なる参照信号系列を用いることができる。各ユーザ端末においては、このようにして得られた参照信号系列でチャネル推定部１０４４でチャネル推定し、復調部１０４５でデータを復調し、フィードバック情報生成部１０４６でフィードバック情報を生成する。
【００７２】
このような制御において、上記式（３）〜（１０）に示す擬似ランダム系列を用いて生成されたＤＭ−ＲＳ系列又はＣＳＩ−ＲＳ系列を用いると、第２ヘテロジニアス環境では、マクロ基地局ｅＮＢのセルのセルＩＤと、このセルとオーバレイした遠隔無線装置ＲＲＥのセルのセルＩＤとが同じであるが、各ユーザ端末ＵＥでそれぞれＵＥＩＤが異なるので、各ユーザ端末ＵＥで異なるＤＭ−ＲＳ系列又はＣＳＩ−ＲＳ系列が使用され、ＤＭ−ＲＳ又はＣＳＩ−ＲＳの多重位置が同じになる可能性が低くなる。このため、ＤＭ−ＲＳ又はＣＳＩ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳ又はＣＳＩ−ＲＳのチャネル推定精度、ＰＤＳＣＨの復調精度、ＣＳＩ精度を維持することができる。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
１  無線通信システム
１０  ユーザ端末
２０  無線基地局装置
３０  上位局装置
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４１  ＣＰ除去部
１０４２  ＦＦＴ部
１０４３  分離部
１０４４  チャネル推定部
１０４５  復調部
１０４６  フィードバック情報生成部
２０４１  送信データ生成部
２０４２  ＲＳ系列生成部
２０４３  多重部
２０４４  ＩＦＦＴ部
２０４５  ＣＰ付加部
【図１】
2013123080.tif 000013
【図２】
2013123080.tif 000014
【図３】
2013123080.tif 000015
【図４】
2013123080.tif 000016
【図５】
2013123080.tif 000017
【図６】
2013123080.tif 000018
【図７】
2013123080.tif 000019
【図８】
2013123080.tif 000020